(57)【要約】【課題】事前に斜面の不陸を整形する必要がなく、簡単に着工することができ、使用する部材の構造も、またその部材を使用した施工の方法もきわめて簡単であるために、熟練を要せずに信頼性が高く、経済的な施工を行うことができる緑化方法を提供する。【解決手段】斜面に植生基盤材投入用のカゴを取り付ける工法である。カゴは前面網と両側の側面網とより構成する。このカゴを、アンカーを打ち込むことによって斜面に取り付ける。そしてカゴと斜面との間の空間に植生基盤材を投入する。【選択図】        図１
2006161295.tif 000002
【特許請求の範囲】
【請求項１】
斜面に植生基盤材投入用のカゴを取り付ける工法であって、
カゴは前面網と両側の側面網とより構成し、
このカゴを、アンカーを打ち込むことによって斜面に取り付け、
このカゴと斜面との間の空間に植生基盤材を投入して行う、
斜面の緑化方法。
【請求項２】
カゴを、アンカーを打ち込むことによって斜面に取り付けるに際し、
アンカーは、カゴの上縁と下縁とを貫通して打ち込んで行う、  
請求項１記載の、斜面の緑化方法。
【請求項３】
カゴの側面網は、
上辺が広い逆三角形を呈している、
請求項１記載の、斜面の緑化方法。
【発明の詳細な説明】
【技術分野】
【０００１】
本発明は、斜面の緑化方法に関するものである。
さらに詳しくは、硬質の土やシラス層のように植物が育つような土の存在しない無土壌地層、あるいは土砂混じりの軟岩、硬岩地層の斜面に低木を生育させてその斜面を補強し、緑化する工法に関するものである。  
【背景技術】
【０００２】
従来から斜面の任意の位置に植生して緑化する方法が開発されている。
たとえば、まず斜面の不陸を整形し、その後に斜面の傾斜を横断する方向に大型の棚板を設置して斜面と棚板との間の空間に大量の土砂を投入して植生を行う方法がある。
あるいは、簡単な棚板を利用する方法では、まず斜面に金網を敷設し、その後に金網に棚板を係止して斜面と棚板との間の空間に土砂を投入して植生を行う方法が知られている。
あるいは斜面に上部が開口した多角柱状、円柱状の容器を地山に埋設する方法も知られている。
【特許文献１】特開２０００−１１０１６７号公報。
【特許文献２】特開２００１−１０７３６２号公報。
【発明の開示】
【発明が解決しようとする課題】
【０００３】
前記した従来の斜面の緑化方法にあっては、次のような問題点がある。
＜１＞  斜面に大型の棚板を取り付け、大量の土砂を投入する方法では、事前に斜面の整形が必要となる。
＜２＞  大量の土砂を投入するための棚板などの設備は大型となり、重量が大きく取り扱いが容易ではないために施工性が悪い。
＜３＞  簡単な棚板を利用する方法では、斜面に金網や繊維のネットを敷設する手数を必要とする。
＜４＞  さらに金網やネットに固定した棚板に土砂を充填すると、その重量で金網が垂れ下がったり、植生基盤材量が設計量に対して大きな誤差を生じるといった問題がある。
＜５＞  また、棚板の場合にその両側から植生基盤材が流出させないためには、その処理が必要であり、手数を要する。
【課題を解決するための手段】
【０００４】
上記のような課題を解決するために、本発明の斜面の緑化方法は、斜面に植生基盤材投入用のカゴを取り付ける工法であって、カゴは前面網と両側の側面網とより構成し、このカゴを、アンカーを打ち込むことによって斜面に取り付け、このカゴと斜面との間の空間に植生基盤材を投入して行う、斜面の緑化方法を特徴としたものである。
【発明の効果】
【０００５】
本発明の斜面の緑化方法は以上説明したようになるから次のような効果を得ることができる。
＜１＞  事前に斜面の不陸を整形する必要がなく、簡単に着工することができる緑化方法。
＜２＞  金網やネットを敷設する必要がなく、重量による垂れ下がりや植生基盤材量の変化などを考慮する必要のない緑化方法。
＜３＞  斜面に多数の凹凸があっても、フレキシブルに対応して密着状態を維持し、確実に植物の育成をすることができる緑化方法。
＜４＞  使用する部材の構造も、またその部材を使用した施工の方法もきわめて簡単であるために、熟練を要せずに信頼性が高く、経済的な施工を行うことができる緑化方法。
【発明を実施するための最良の形態】
【０００６】
以下図面を参照にしながら本発明の好適な実施の形態を詳細に説明する。
【実施例】
【０００７】
＜１＞全体の構成
本発明の緑化方法は、カゴ１とアンカー２によって構成するものであり、部材の構造も、またその部材を使用した施工の方法もきわめて簡単で経済的なものである。
【０００８】
＜２＞カゴ１
カゴ１は、適当な間隔で斜面に取り付けて、その内部に植生基盤材を投入するための容器である。
そのカゴ１は、前面網１１と両側の側面網１２とより構成する。
すなわち、背面部分や底面部分には網は存在しない、きわめて簡単な構造の容器である。
前面網１１は、矩形の網体であるが、両側の側面網１２は、上方が広い逆三角形の網体によって構成する。
カゴ１の前面網１１、側面網１２は、金網や穴あき鋼板、エキスパンドメタルで構成することができる。
あるいは周囲を鋼棒で囲み、その鋼棒枠の内面に合成樹脂製のメッシュを貼り付けた部材を使用することもできる。
このカゴ１の寸法は特に限定するものではないが、たとえば前面網１１の高さ３０ｃｍ、幅３０ｃｍ、そして側面網１２の上端の長さ、すなわち容器としての厚さが２０ｃｍ程度のものを使用する。
この程度の寸法のカゴ１であれば、足場の悪い斜面であっても、作業員が手に持って上り、後述するようにアンカー２を人力で打設して斜面に設置することができる。
あまり大型のカゴ１や重量の大きいカゴ１は、機械を使いにくい斜面での作業には適さない。
【０００９】
＜３＞補助金具
カゴ１の前面網１１、および側面網１２の上縁、および下縁には補助金具１３を取り付ける。
この補助金具１３は、短冊状の鋼板プレート、鋼棒、あるいは鋼管などを使用することができる。
補助金具１３は前面網１１、側面網１２の上端よりも下がった位置に取り付けることもできる。
この補助金具１３には適宜の箇所に貫通穴１４を開口しておき、この貫通穴１４にアンカー２を通して斜面への取り付けを行う。
なお、図５に示すように、前面網１１の下縁には、補助金具１３を取り付けない構成のカゴ１を採用することもできる。
カゴ１は多数の有孔の材料である。したがってあえて貫通穴１４を設けなくとも、アンカー２を打設すればカゴ１の目を貫通するから、カゴ１を斜面へ固定することができる。
【００１０】
＜４＞カゴ１の設置（図２）
まずカゴ１を斜面Ｓに設置する。
カゴ１の両側面の側面網１３は、前記したように上辺が広く、下が狭い、逆三角形を呈している。
そのために傾斜状態の斜面Ｓの上に設置した場合に、カゴ１の底部は斜面Ｓに接するが、その上縁は斜面Ｓから一定の距離だけ離れることになる。
すなわち、側面網１２が逆三角形であるために、カゴ１と斜面Ｓとの間に空間が発生する。
カゴ１の配置は、斜面Ｓの横断方向に沿って同一の高さで平行に設置する場合、ひとつおきにずらして千鳥状に設置する場合、斜面Ｓの全面に無差別に設置する場合、など状況によって選択する。
【００１１】
＜５＞アンカー２の打設
カゴ１を斜面の上に仮に設置した状態で、カゴ１の補助金具１３の貫通穴１４に通してアンカー２を打設する。
このアンカー２はたとえば先端をするどくとがらせ、尾端を折り曲げた形状の鉄筋棒を使用することができる。
そのような形状のアンカー２を、作業員がハンマーを用いて打ち込む程度の簡単な作業によってカゴ１を斜面Ｓに取り付けることができる。
さらに前記したようにカゴ１の寸法は、作業員が斜面Ｓでの作業に差支えがない程度の、あまり大きくない寸法に製作してある。
したがって、斜面Ｓに大小の凹凸があっても、独立したカゴ１を配置するために凹凸の影響を受けることがない。
【００１２】
＜６＞植生基盤材の投入（図３）
上記したように、カゴ１の側面網１２が、上辺が広い逆三角形を呈するために、カゴ１と斜面Ｓとの間には空間が発生している。
この空間に、植生基盤材３を投入する。
この投入は、たとえばポンプの圧力で流動化した植生基盤材３を圧送ホース３１を通して吹き付ける方法など、公知の投入方法を採用することができる。
植生基盤材３は、別の場所から運搬してきた材料であり、自然の土に肥料や種子、バインダー材を加えたもの、あるいは人工土壌など、公知の材料を広く使用することができる。
種子を含まない植生基盤材３の場合には、作業員が各カゴ１ごとに苗木や種を植え込む。
その状態で数ヶ月が経過すれば、各カゴ１から植物が育って斜面を緑化することができる。（図４）
【００１３】
＜７＞その他の工法
カゴ１を斜面に設置する前に、斜面Ｓに金網を展開して取り付けておくこともできる。
あるいはカゴ１を斜面Ｓに設置する前に、斜面Ｓにモルタルなどの吹き付けを行っておき、その後にカゴ１を設置する方法を採用することもできる。
その他、斜面の保護のために開発されている公知の工法と組み合わせて施工することができる。
【図面の簡単な説明】
【００１４】
【図１】本発明の斜面の緑化方法に使用するカゴの実施例の説明図。
【図２】カゴを斜面に取り付けた状態の説明図。
【図３】斜面に取り付けたカゴに植生基盤材を投入している状態の説明図。
【図４】植生した植物が生長している状態の説明図。
【図５】カゴの下縁に補助金具を取り付けない構成の説明図。
【符号の説明】
【００１５】
１：カゴ
１１：前面網
１２：側面網
２：アンカー
３：植生基盤材
【図１】
2006161295.tif 000003
【図２】
2006161295.tif 000004
【図３】
2006161295.tif 000005
【図４】
2006161295.tif 000006
【図５】
2006161295.tif 000007